(57)【要約】      （修正有）【課題】送風口から均一な風量の加湿空気が送風可能なミスト発生装置を提供する。【解決手段】送風ファンにより送風され、送風経路を流通する乾燥空気が風洞へ流入せずに気水分離風路１７内へ流入可能なバイパス流入口５１が形成されたものにおいて、上部送風路５２内にバイパス流入口５１から流入した乾燥空気の流通方向を加湿空気の流通方向へ案内して乾燥空気と加湿空気とを合流させる案内板５４と、乾燥空気と合流した加湿空気を整流して送風口２から送風される加湿空気の風量を均一化する整流板５３とを備えたことで、送風口２から室内へ送風される加湿空気の風量を上昇させ加湿効率を向上させ、送風口２から均一に加湿空気が送風されることで室内の湿度分布に偏りが生じることがないと共に、特に送風口２付近に存在する人が送風口２からの送風感に対して違和感を感じない。【選択図】図８
2020180776.tif 000002
【特許請求の範囲】
【請求項１】
器具本体と、当該器具本体内に設置され空気を送風する送風ファンと、当該送風ファンの近傍に形成され前記器具本体外の空気を吸入する吸入口と、当該吸入口を通過した空気が流通する送風経路と、当該送風経路内の空気が流入する貯水室流入口が一端に形成され水を貯水する貯水室と、当該貯水室内の水を回転により汲み上げて外周方向へ飛散させる回転体と、当該回転体を回転可能となるように軸支した駆動軸と接続するミストモータと、前記回転体により飛散した水が衝突することでミストを発生させる衝突体と、前記貯水室の他端に流路が鉛直上向きとなるよう接続されミストを含む加湿空気が流通する気水分離風路と、当該気水分離風路内に設置され前記加湿空気に含まれる大径水滴を分離する気水分離手段と、前記気水分離風路の下流側に接続され前記気水分離風路を通過した前記加湿空気が流入する上部送風路と、当該上部送風路の下流側にありルーバーが設置され前記上部送風路内の加湿空気を前記器具本体外へ送風する送風口と、を備え、
前記送風経路から前記貯水室を介さず前記気水分離風路内へ加湿される前の乾燥空気が流入可能なバイパス流入口を前記気水分離手段より下流側の前記気水分離風路に形成し、前記上部送風路内には、前記バイパス流入口から流入した前記乾燥空気が前記加湿空気と合流するように案内する案内手段と、前記乾燥空気と合流した後の前記加湿空気が前記送風口から均一な風量で送風されるよう整流する整流手段とを備えたことを特徴とするミスト発生装置。
【請求項２】
前記送風口は前記器具本体の前面上部から前記加湿空気が送風されるように形成されており、前記整流手段は、少なくとも前記上部送風路内を鉛直方向に仕切る鉛直面と、前記上部送風路内を水平方向に仕切る水平面とで構成され、前記乾燥空気と合流した前記加湿空気が前記鉛直面の前方側及び後方側とを流通し、前記水平面の下方側及び上方側とを流通することを特徴とする請求項１に記載のミスト発生装置。
【発明の詳細な説明】
【技術分野】
【０００１】
この発明は、ミストを含む加湿空気を室内へ供給するミスト発生装置に関するものである。
【背景技術】
【０００２】
従来、この種のものでは、貯水室内に設置された回転体により水を吸い上げ、回転体から飛散した水を回転体の周囲に設置された衝突体に衝突させ、水が微細化することで発生したナノミストとマイナスイオンとを含む加湿空気を送風ファンにより送風口から器具本体外へ送風するミスト運転を実施するミスト発生装置があり、室内の湿度や設定されたモードに応じて加湿量と風量を調節し、器具本体が配置された室内の相対湿度を変化させることで室内が設定湿度に保たれるようにしていた。（例えば、特許文献１）
【先行技術文献】
【特許文献】
【０００３】
【特許文献１】特開２０１５−２２２１５６号公報
【発明の概要】
【発明が解決しようとする課題】
【０００４】
しかし、この従来のものでは、貯水室及び気水分離風路を通過し圧損により送風口から送風される加湿空気の風量が低下するため、器具本体が設置された室内に対して大風量で加湿空気を送風することができず、室内の空気が極端に乾燥している場合に風量を最大にしたミスト運転を実施しても、室内の湿度が適度な値となるまで長時間かかる問題があり、改善の余地があった。
【課題を解決するための手段】
【０００５】
上記課題を解決するために、本発明の請求項１では、器具本体と、当該器具本体内に設置され空気を送風する送風ファンと、当該送風ファンの近傍に形成され前記器具本体外の空気を吸入する吸入口と、当該吸入口を通過した空気が流通する送風経路と、当該送風経路内の空気が流入する貯水室流入口が一端に形成され水を貯水する貯水室と、当該貯水室内の水を回転により汲み上げて外周方向へ飛散させる回転体と、当該回転体を回転可能となるように軸支した駆動軸と接続するミストモータと、前記回転体により飛散した水が衝突することでミストを発生させる衝突体と、前記貯水室の他端に流路が鉛直上向きとなるよう接続されミストを含む加湿空気が流通する気水分離風路と、当該気水分離風路内に設置され前記加湿空気に含まれる大径水滴を分離する気水分離手段と、前記気水分離風路の下流側に接続され前記気水分離風路を通過した前記加湿空気が流入する上部送風路と、当該上部送風路の下流側にありルーバーが設置され前記上部送風路内の加湿空気を前記器具本体外へ送風する送風口と、を備え、
前記送風経路から前記貯水室を介さず前記気水分離風路内へ加湿される前の乾燥空気が流入可能なバイパス流入口を前記気水分離手段より下流側の前記気水分離風路に形成し、前記上部送風路内には、前記バイパス流入口から流入した前記乾燥空気が前記加湿空気と合流するように案内する案内手段と、前記乾燥空気と合流した後の前記加湿空気が前記送風口から均一な風量で送風されるよう整流する整流手段とを備えたことを特徴としている。
【０００６】
また、請求項２では、前記送風口は前記器具本体の前面上部から前記加湿空気が送風されるように形成されており、前記整流手段は、少なくとも前記上部送風路内を鉛直方向に仕切る鉛直面と、前記上部送風路内を水平方向に仕切る水平面とで構成され、前記乾燥空気と合流した前記加湿空気が前記鉛直面の前方側及び後方側とを流通し、前記水平面の下方側及び上方側とを流通することを特徴としている。
【発明の効果】
【０００７】
この発明によれば、送風経路から貯水室を介さず気水分離風路内へ加湿される前の乾燥空気が流入可能なバイパス流入口を気水分離手段より下流側の気水分離風路に形成したので、空気の圧力損失が大きい貯水室を迂回するバイパス流入口から乾燥空気が流入することで、送風口から大風量で加湿空気を送風して室内の湿度を短時間で適度な値にすることができ、また、上部送風路内には、バイパス流入口から流入した乾燥空気が加湿空気と合流するように案内する案内手段と、乾燥空気と合流した後の加湿空気が送風口から均一な風量で送風されるよう整流する整流手段とを備えたので、乾燥空気と加湿空気とがそれぞれ別々に送風口から送風されることがないため、器具本体が設置された室内の加湿効率の低減を防止することができると共に、均一な風量で送風口から室内へ加湿空気が送風されるので、送風口付近に存在する使用者等に違和感を与えることがない。
【０００８】
また、送風口は器具本体の前面上部から加湿空気が送風されるように形成されており、整流手段は、少なくとも上部送風路内を鉛直方向に仕切る鉛直面と、上部送風路内を水平方向に仕切る水平面とで構成され、乾燥空気と合流した加湿空気が鉛直面の前方側及び後方側とを流通し、水平面の下方側及び上方側とを流通するので、乾燥空気と合流した加湿空気が上部送風路内を満遍なく流通して送風口まで案内されるので、送風口から送風される加湿空気の送風量にムラが生じるのを防止し、均一な送風量で送風口から加湿空気が送風されるため、送風口付近に存在する使用者等に違和感を与えることがない。
【図面の簡単な説明】
【０００９】
【図１】この発明の一実施形態の外観を説明する斜視図
【図２】同実施形態の概略構成図
【図３】同実施形態の制御ブロック図
【図４】同実施形態の操作部を説明する図
【図５】同実施形態の運転開始から終了までの動作を説明するフローチャート
【図６】同実施形態の空気の流通経路を説明する斜視図
【図７】同実施形態の空気の流通経路を説明する部分拡大斜視図
【図８】同実施形態の加湿空気の流通経路を説明する側面視断面図
【発明を実施するための形態】
【００１０】
次に、この発明の一実施形態におけるミスト発生装置を図に基づいて説明する。
１は器具本体、２は器具本体１上部に器具本体１の前面と平行な位置関係となるように形成され複数のルーバー３が設置された送風口、４は器具本体１の正面上部を構成する上面パネル、５は器具本体１の正面下部を構成する下面パネル、６は複数のスイッチが備えられ各種操作指令を行う操作部、７は図示しないブレーカーを隠すブレーカーカバーである。
【００１１】
８は器具本体１内の略中段高さ位置にあって所定量の水を貯水する貯水室であり、この貯水室８内には、水に下端を水没させ駆動軸９に軸支された筒状の回転体１０が備えられている。
【００１２】
前記回転体１０は、中空逆円錐形で上方に向かって円周が徐々に拡大するものであり、駆動軸９に接続され回転体１０を回転駆動させるミストモータ１１を駆動させ、回転体１０が回転することによる回転の遠心力で貯水室８の水を汲み上げ、回転体１０の外壁および内壁を伝わせて水を押し上げて、回転体１０の外壁を伝わせて押し上げた水を周囲に飛散させると共に、回転体１０の内壁を伝わせて押し上げた水を回転体１０の上端に形成された複数の図示しない飛散口から外周方向へ飛散させる。
【００１３】
１２は回転体１０の上部外周に所定間隔を離間させて位置し、回転体１０と共に回転する円筒状の多孔体で、該多孔体１２には、その全周壁に多数のスリットや金網やパンチングメタル等から成る衝突体としての多孔部１３が設置されている。
【００１４】
前記ミスト発生部を構成するミストモータ１１を駆動させ、回転体１０を回転させたことで発生する遠心力で貯水室８内の水を汲み上げると共に空気を飛散させ、多孔部１３を通過した水滴が破砕されることで、水を微細化して粒径がナノメートル（ｎｍ）サイズのミスト（以下、微細ミスト）が多量に生成されると共に、比較的粒径の大きな水滴（以下、大径水滴）とが生成され、水の微細化によるレナード効果によって微細ミストに負イオンが帯電し、大径水滴に正イオンが帯電した状態となる。
【００１５】
１４は下面パネル５内に設置され所定の回転数で駆動することで室内の乾燥空気を吸引して器具本体１の上部方向へ送風する送風ファン、１５は当該送風ファン１４下流側の筐体で外部と区画された送風経路であり、器具本体１の下部から吸い込まれた乾燥空気が前記送風経路１５を通過して器具本体１の上部へ案内され、貯水室８の上部にありミストモータ１１が載置された風洞１６を介して貯水室８内へ流入する。
【００１６】
なお、前記送風経路１５は筐体で外部と区画された形態に限られず、例えば、ホース等による専用の区画壁により流路を形成したものであってもよい。
【００１７】
１７は貯水室８の上方の他端に風路が鉛直上向きとなるよう接続され貯水室８内で発生した微細ミスト及び大径水滴を含む加湿空気が内部を流通する気水分離風路、１８は当該気水分離風路１７内の途中に複数設置され鉛直上方へ傾斜する傾斜面Ｐを備えた気水分離手段としてのバッフル板であり、気水分離風路１７内の上段に設置されたバッフル板１８ａ、中段に設置されたバッフル板１８ｂ、下段に設置されたバッフル板１８ｃで構成されている。
そして、気水分離風路１７内に加湿空気が流入すると、各バッフル板１８を蛇行するように加湿空気が流通することで加湿空気中の大径水滴が傾斜面Ｐにより分離され、分離された大径水滴が集まると重力の影響で傾斜面Ｐに沿ってバッフル板１８の下端まで流動して貯水室８へ落下するため、送風口２へ案内される大径水滴の量を減少させると共に、微細ミストを多く含んだ加湿空気を送風口２へ案内する。
【００１８】
また、前記バッフル板１８ａ、１８ｂ、１８ｃは前記気水分離風路１７内の鉛直方向に対し互い違いとなるよう設置されており、貯水室８から上昇する加湿空気が各バッフル板１８により塞がれた流路を避けるように蛇行して上昇し上端にまで至るので、各バッフル板１８を加湿空気が十分に舐めて上昇することで、大径水滴を各バッフル板１８で効果的に分離することができる。
【００１９】
１９は貯水室８内に設置され貯水を加熱する加熱ヒータであり、貯水室８の外壁に設置され貯水温度を検知する貯水温度センサ２０で検知される温度が所定温度となるよう、ＯＮ／ＯＦＦ状態が適宜切り替えられる。
【００２０】
２１は貯水室８内に設置されフロートが上下することで水位を検知する水位センサであり、貯水室８内の水位が低下して所定水位以下になったらＯＦＦ信号を出力し、水位が上昇して所定水位以上になったらＯＮ信号を出力し、更に水位が上昇して貯水室８内が満水となったら満水信号を出力する。
【００２１】
２２は貯水室８側面に接続され貯水室８内に市水を給水する給水管であり、該給水管２２の配管途中には、電磁弁を開閉して貯水室８内への給水を制御する給水弁２３と、給水圧を所定値まで減圧する減圧弁２４とが備えられている。
【００２２】
２５は貯水室８底部に接続され貯水室８内の水を器具本体１外部に排水する硬質塩化ビニル管で構成された排水管であり、該排水管２５の配管途中には、電磁弁を開閉して貯水室８内の水の排水を制御する排水切り替え手段としての排水弁２６が備えられている。
【００２３】
２７は送風口２の上壁面に設置され送風口２から室内へ向けて送風される加湿空気の温度を検知する送風温度センサ、２８は送風ファン１４の近傍に設置され器具本体１の下部から吸い込まれた室内空気の温度を検知する吸気温度センサ、２９は前記吸気温度センサ２８の近傍に設置され器具本体１が設置された室内の湿度を検知する湿度センサであり、各センサで検知された温度や湿度に基づいて、ミストモータ１１や送風ファン１４の回転数を変化させ、加熱ヒータ１９のＯＮ／ＯＦＦ状態を切り替える。
【００２４】
操作部６には、ミスト運転の開始及び停止を指示する運転切り替え手段としての運転スイッチ３０と、加熱ヒータ１９のＯＮ／ＯＦＦ状態を切り替えることで貯水室８内の貯水温度を変化させ、送風口２から室内に送風される加湿空気に含有可能な水分量の割合を変化させた３段階の加湿レベルと、湿度センサ２９で検知された湿度が予め設定された湿度となるよう前記加湿レベルを変化させるオートモードとから選択可能な加湿スイッチ３１と、ミストモータ１１と送風ファン１４との回転数の大小を設定可能な三段階の風量レベルと、湿度センサ２９で設定された湿度が予め設定された湿度となるよう前記風量レベルを変化させるオードモードとから選択可能な風量スイッチ３２と、加湿空気を室内に供給するミスト運転の開始時間と停止時間とを設定するタイマー切替スイッチ３３と、前記風量スイッチ３２で設定された風量で送風ファン１４のみを駆動させ室内の空気清浄を行う空清モードを実施する空清スイッチ３４と、現在時刻を設定する時刻設定スイッチ３５と、スイッチを操作することで運転停止以外の動作を禁止するチャイルドロックスイッチ３６とが備えられている。
【００２５】
また、操作部６の各スイッチ上部には各スイッチに対応したランプが備えられており、運転スイッチ３０が操作されたら点灯する運転ランプ３７と、ミスト運転が所定時間以上継続したら開始する除菌運転時に点灯する除菌ランプ３８と、加湿スイッチ３１で設定された加湿レベルを１から３の数値とオートモードを示すＡで表示する加湿レベルランプ３９と、風量スイッチ３２で設定された風量レベルを１から３の数値とオートモードを示すＡで表示する風量レベルランプ４０と、タイマー切替スイッチ３３でミスト運転の開始及び停止が設定されたら、それぞれのランプが点灯するタイマーランプ４１と、空清スイッチ３４が操作され空清モードが設定されたら点灯する空清モードランプ４２と、時刻設定スイッチ３５で設定された現在時刻を表示する時刻表示パネル４３と、チャイルドロックスイッチ３６が操作されたら点灯するチャイルドロックランプ４４とが備えられている。
【００２６】
４５は各センサで検知された検知値や操作部６上に備えられた各スイッチでの設定内容に基づき、運転内容や弁の開閉を制御するマイコンで構成された制御部であり、ミストモータ１１を所定の回転数で駆動させるミストモータ制御手段４６と、送風ファン１４を所定の回転数で駆動させる送風ファン制御手段４７と、加熱ヒータ１９のＯＮ／ＯＦＦ状態を切り替えて貯水室８内の水温を制御する加熱ヒータ制御手段４８とが備えられている。
【００２７】
４９は器具本体１の底面及び前面下方に形成され室内空気を器具本体１内に取り込む吸入口であり、当該吸入口４９には、吸入口４９の通過時に空気中の塵埃を捕集し清浄化させる空清フィルタ５０が取り付けられている。
前記空清フィルタ５０が吸入口４９に取り付けられたことで器具本体１内に空気が流入する時における通風抵抗は増大するが、塵埃が取り除かれた空気を送風口２から送風可能となり、空気清浄能力が向上する。
【００２８】
５１は気水分離風路１７の壁面を貫通し送風経路１５を流通する空気の一部が流入可能なバイパス流入口であり、当該バイパス流入口５１は、送風口２に最も近い位置にある気水分離風路１７内の最上段に設置されたバッフル板１８ａの上方へ傾斜した傾斜面Ｐと対向し、かつ送風経路１５と対面する気水分離風路１７の壁面を貫通するように形成されており、バイパス流入口５１から気水分離風路１７内へ空気が流入することで、貯水室８から上昇してきた加湿空気の風量を増大させ、送風口２から室内へ送風される加湿空気の送風量を上昇させることができる。
【００２９】
５２は気水分離風路１７の上端が接続され器具本体１の上部を構成し、気水分離風路１７内を通過した加湿空気とバイパス流入口５１から流入した乾燥空気とが流入する上部送風路であり、当該上部送風路５２内には、前記加湿空気と前記乾燥空気とが合流した加湿空気を整流する整流手段としての整流板５３が設置されており、前記加湿空気が前記整流板５３により整流され送風口２から室内へ供給される。
【００３０】
５４は気水分離風路１７の上端近傍でバイパス流入口５１の鉛直上方に位置する上部送風路５２内にあり、器具本体１の設置面と平行な位置関係となるよう設置された案内手段としての案内板であり、当該案内板５４は、バイパス流入口５１から流入した乾燥空気を送風口２とは逆方向で器具本体１の背面側となる方向へ案内し、気水分離風路１７を上昇してきた加湿空気と合流させる。
【００３１】
次に、この一実施形態での運転開始から終了までの動作について図５のフローチャートに基づいて説明する。
まず、操作部６の運転スイッチ３０が操作されたか、もしくはタイマー切替スイッチ３３で設定された運転開始時刻になったら、制御部４５は、排水弁２６を開放して貯水室８内の水を排水し、水位センサ２１でＯＦＦ信号が検知されたら、給水弁２３を開放して貯水室８内を水で洗い流すクリーニング動作を行い、所定時間経過したら排水弁２６を閉止することで給水弁２３から流入する水を貯水室８内に供給し、水位センサ２１でＯＮ信号が検知されたら、所定量の水が貯水室８内に供給されたとして給水弁２３を閉止する水入替モードを行う（ステップＳ１０１）。
【００３２】
ステップＳ１０１の水入替モードが終了したら、制御部４５は、貯水温度センサ２０で検知される貯水温度が室温と同値になるまで加熱ヒータ制御手段４８で加熱ヒータ１９をＯＮ状態にして、ミストモータ１１及び送風ファン１４が所定の回転数となるようミストモータ制御手段４６及び送風ファン制御手段４７で制御する立ち上げ動作を実行する立ち上げモードを行う（ステップＳ１０２）。
【００３３】
ステップＳ１０２の立ち上げモードが終了したら、制御部４５は、加湿スイッチ３１及び風量スイッチ３２で設定された加湿レベルと風量レベルとに基づいて、ミストモータ１１と送風ファン１４とが所定の回転数で駆動するようミストモータ制御手段４６と送風ファン制御手段４７とで回転数を制御し、加熱ヒータ１９のＯＮ／ＯＦＦ状態を加熱ヒータ制御手段４８で切り替えて制御して、加湿レベルと風量レベルとに合わせた所定の温度範囲内にするミスト運転を実行する通常運転モードを行う（ステップＳ１０３）。
【００３４】
ステップＳ１０３の通常運転モード中に運転スイッチ３０が操作され運転終了の指示があったと判断したら、制御部４５は、ミストモータ１１を停止させてから排水弁２６を開弁して貯水室８内の水を排水し、所定時間経過したら給水弁２３を開放して貯水室８内を洗浄してから排水弁２６を閉止して貯水室８内に所定量だけ貯水する水入替運転を行い、その後、加熱ヒータ１９をＯＮ状態にして水を加熱することで除菌を行う除菌運転を所定時間行い、その後、所定時間経過後に貯水室８内を冷却する冷却運転を実行し、貯水温度が所定温度以下になったら排水弁２６を開放して排水するクリーニングモードを行う（ステップＳ１０４）。
【００３５】
ステップＳ１０４のクリーニングモードが終了したら、制御部４５は、送風ファン１４が所定の回転数（例えば、８００ｒｐｍ）で駆動するよう送風ファン制御手段４７で制御し、貯水室８や送風経路１５に送風して乾燥させることで菌の増殖を防止する乾燥モードを行い（ステップＳ１０５）、送風ファン１４の駆動時間が所定時間（例えば、３時間）をカウントしたか判断し、３時間カウントしたら、送風ファン１４を停止させて運転を終了する。
【００３６】
次に、ミスト運転時における加湿空気の風路、及びバイパス流入口５１から流入する乾燥空気が加湿空気と合流して室内に送風される風路について詳述する。
まず、ミスト運転が開始されミストモータ１１及び送風ファン１４が所定の回転数で駆動すると、器具本体１の底面及び前面の吸入口４９から室内の乾燥空気が吸い込まれ、空清フィルタ５０を通過することで空気中の塵埃が除去された清浄な空気となる。
そして、図６、及び図７で示すように、空清フィルタ５０を通過した乾燥空気は送風通路１５を上昇し、風洞１６側とバイパス流入口５１側とに分流する。
【００３７】
風洞１６側とバイパス流入口５１側とに分流する乾燥空気のそれぞれの空気流入量については、風洞１６とバイパス流入口５１との開口面積によって変化し、開口面積の増大に比例して空気流入量も増大するする。したがって、貯水室８内で発生する微細ミストとマイナスイオンとを含んだ加湿空気を送風口２まで十分に案内可能な風量を確保しつつ、室内へ送風される風量が適度に増大するよう、風洞１６及びバイパス流入口５１の開口面積を設計する。
【００３８】
風洞１６から貯水室８内へ流入した乾燥空気は、回転体１０により汲み上げられ多孔部１３によって破砕されることで発生した微細ミスト、大径水滴及びマイナスイオンを含んだ加湿空気として気水分離風路１７を上昇する。
気水分離風路１７を上昇する時、バッフル板１８ａ、１８ｂ、１８ｃによって流路が蛇行し、各バッフル板１８の傾斜面Ｐを舐めるように流通することで加湿空気中の大径水滴が各バッフル板１８の表面に付着し、傾斜した各バッフル板１８の下端まで達すると、重力により水滴が貯水室８へ落下するため、送風口２まで運ばれる大径水滴の量を減少させることができる。
【００３９】
一方、送風通路１５からバイパス流入口５１内に流入した乾燥空気はバッフル板１８ａに沿って気水分離風路１７内を上昇し、案内板５４により送風口２とは逆方向の器具本体１背面側へ案内される。
【００４０】
そして、図８で示すように、貯水室８から気水分離風路１７を上昇した加湿空気と、バイパス風路５１から流入し案内板５４により器具本体１の背面側へ案内された乾燥空気とが、器具本体１の背面側の上部送風路５２内で合流し、合流した加湿空気が上部送風路５２内に設置された整流板５３により上部送風路５２内で分流して流通し、ルーバー３により区画された送風口２の開口部からそれぞれ室内へ送風される。
【００４１】
このように、気水分離風路１７の側面に送風通路１５を流通する空気が流入可能なバイパス風路５１を形成したことで、貯水室８及び気水分離風路１７を通過し圧損により加湿空気の風量が低下しても、バイパス風路５１から圧損の影響を受けない空気が流入し、上部送風路５２で加湿空気と合流して送風口２から室内へ供給されるため、吸入口４９に空清フィルタ５０を取り付けたことで通風抵抗が増しても、室内へ供給される加湿空気の風量が低減せず、加湿及び空清を効果的に実施することが可能となる。
【００４２】
また、ミスト運転時に気水分離風路１７を通過する加湿空気内に含まれる大径水滴は、微細ミストと比較して質量が大きいことから重力の影響により気水分離風路１７を上昇し難く、貯水室８に近い気水分離風路１７の下方の壁面やバッフル版１８ｂ、１８ｃに付着しやすい。よって、バイパス流入口５１を最も送風口２に近い気水分離風路１７の最上部に位置するバッフル板１８ａの傾斜面Ｐと対向する位置に形成したことで、大径水滴が送風口２まで案内される量が減少し、送風口２付近が結露水により濡れて、器具本体１下部に水濡れが発生するのを未然に防止することができる。
【００４３】
また、気水分離風路１７が鉛直上向きとなるよう設置したことで、バッフル板１８に付着した大径水滴がバッフル板１８の端部から落下すると貯水室８内に流入するため、器具本体１の外装から水が漏れ出すことがなく、器具本体１の設置面の濡れを防止することができる。
【００４４】
また、気水分離風路１７の上端近傍で器具本体１の前面側の上部送風路５２内に器具本体１の設置面と平行な位置関係となるよう案内板５４を設置したことで、バイパス流入口５１から気水分離風路１７内へ流入した乾燥空気が加湿空気と合流することなく、送風口２から室内へ送風される事態を未然に防止することができるため、送風口２から加湿空気と乾燥空気とが分離して送風されることがなく、器具本体１が設置された室内を効果的に加湿することができる。
【００４５】
また、図８で示すように、上部送風路５２内に設置された整流板５３は、上部送風路５２内を鉛直方向に仕切る鉛直面５３ａと、上部送風路５２内を水平方向に仕切る水平面５３ｂとで構成されており、器具本体１の背面側となる上部送風路５２の背面側内壁面５２ａと前記鉛直面５３ａとの間に所定距離Ｒ１、及び器具本体１の上面側となる上部送風路５２の上面側内壁面５２ｂと前記水平面５３ｂとの間に所定距離Ｒ２とが形成されるように設置されている。
【００４６】
これにより、気水分離風路１７と上部送風路５２との接続面付近で乾燥空気と合流した加湿空気は、器具本体１の設置面に対して鉛直面５３ａの前方側及び水平面５３ｂの下方側を通過し主に送風口２の下側から室内に送風される流通空気Ａと、鉛直面５３ａの背面側及び水平面５３ｂの上方側を通過し主に送風口２の上側から室内に送風される流通空気Ｂとに分流する。
【００４７】
送風口２から室内に送風される加湿空気の風量バランスは、前記所定距離Ｒ１、Ｒ２により流通空気Ｂの風量が変化することから、送風口２の鉛直上下方向で風量に偏りが発生しないよう所定距離Ｒ１、Ｒ２を決定して整流板５３を設置することで、送風口２の鉛直上下方向の風量が均一となって室内に送風することができるため、特に送風口２付近に存在する使用者等が送風口２からの送風感に違和感を感じることがなく、更に、送風温度センサ２７の検知精度を高く保持することができる。
【００４８】
以上のように、送風ファン１４により送風され送風経路１５を流通する乾燥空気が風洞１６へ流入せずに気水分離風路１７内へ流入可能なバイパス流入口５１が形成されたものにおいて、上部送風路５２内にバイパス流入口５１から流入した乾燥空気の流通方向を加湿空気の流通方向へ案内して乾燥空気と加湿空気とを合流させる案内板５４と、乾燥空気と合流した加湿空気を整流して送風口２から送風される加湿空気の風量を均一化する整流板５３とを備えたことで、送風口２から室内へ送風される加湿空気の風量を上昇させ加湿効率を向上させ、送風口２から均一に加湿空気が送風されることで室内の湿度分布に偏りが生じることがないと共に、特に送風口２付近に存在する人が送風口２からの送風感に対して違和感を感じない。
【００４９】
なお、本実施形態では気水分離風路１７の側壁面にバイパス流入口５１を形成した内容で説明したが、これに限らず、送風経路１５から上部送風路５２へ空気が流入可能となるよう上部送風路５２の下面適所に貫通穴を形成し、ミスト運転時に送風経路１５内を流通する空気が貯水室８と上部送風路５２とにそれぞれ分流して、気水分離風路１７を通過した加湿空気とバイパス流入口５１を通過した空気とが上部送風路５２で混合して送風口２から送風される構成であってもよく、つまり、貯水室８と気水分離風路１７とを通過することでの圧損の影響を受けずに加湿空気と混合し、送風口２からの送風量が増大する構成であれば、貯水室８及び気水分離風路１７をバイパスする流路の形成位置については特に指定しない。
【００５０】
また、本実施形態では、気水分離手段としてバッフル板１８を用いて説明したが、これに限られるものではなく、気水分離風路１７内を流通する大径水滴を分離しつつ微細水滴を含む加湿空気を送風口２まで送風可能な構成であればよいものであり、例えば、気水分離風路１７内に網状の板やパンチ穴が形成された板を複数設置する等、微細水滴を含む加湿空気が流通可能な通風性を確保しつつ大径水滴の分離が可能な構成であればよい。
【００５１】
また、本実施形態で用いたその他の構成は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５２】
１    器具本体
２    送風口
８    貯水室
１０    回転体
１１    ミストモータ
１３    多孔部（衝突体）
１４    送風ファン
１５    送風経路
１６    風洞
１７    気水分離風路
１８    バッフル板（気水分離手段）
４９    吸入口
５０    空清フィルタ
５１    バイパス流入口
５２    上部送風路
５３    整流板（整流手段）
５３ａ  鉛直面
５３ｂ  水平面
５４    案内板（案内手段）
【図１】
2020180776.tif 000003
【図２】
2020180776.tif 000004
【図３】
2020180776.tif 000005
【図４】
2020180776.tif 000006
【図５】
2020180776.tif 000007
【図６】
2020180776.tif 000008
【図７】
2020180776.tif 000009
【図８】
2020180776.tif 000010